(57)【特許請求の範囲】
【請求項１】
前方に開口する収納空間を有するキャビネット本体と、
前記収納空間を塞ぐ位置と、前記収納空間を開放する位置と、に移動可能に前記キャビネット本体に設けられた扉と、
前記扉の前面に設けられたミラーと、
前方に光を照射する照明部であって、
光源と、
前記光源を前方に向けて支持する金属製のフレームと、
左右方向において拘束されずに前記フレームと係合することにより、前記フレームの前方に取り付けられ、前記光源を覆う光透過性の樹脂製のカバーと、
前記カバーの側端側及び前記フレームの側端側に位置し、前記カバーの両側端に取り付けられた一対のキャップと、
を有する照明部と、
を備え、
前記カバーの前記左右方向の長さは、前記フレームの前記左右方向の長さよりも長く、
前記一対のキャップのそれぞれは、前記フレームの側端及び前記カバーの側端のそれぞれと対向するとともに、前記フレームが前記カバーの前記左右方向における中央に位置した際に、前記フレームとの間に隙間が設けられることで、前記カバーの熱膨脹及び熱収縮による左右方向の変形を吸収できるキャップ本体を有し、
前記キャップ本体の上面は、前記フレームの上面及び前記カバーの上面と略面一であり、
前記キャップ本体の下面は、前記フレームの下面及び前記カバーの下面と略面一であり、
前記キャップ本体の前面は、前記カバーの前面と略面一であるとともに、
前記フレームは、前記左右方向に延び、両側端を開放させた中空状であり、
前記一対のキャップのそれぞれは、前記フレームの内部空間に、前記フレームの内壁の近傍に沿うように挿入される挿入部を有しており、
前記挿入部は、前記フレームの前記側端の前記内部空間への開放部分の少なくとも一部を塞ぐことを特徴とするミラーキャビネット。
【請求項２】
前記一対のキャップの少なくとも一方は樹脂製であり、
前記一方のキャップの前記挿入部は、前記左右方向を軸とする筒状であるとともに、前記一方のキャップの前記キャップ本体と反対側の端部から前記一方のキャップの前記キャップ本体に向かって延びる切り欠きを有することを特徴とする請求項１記載のミラーキャビネット。
【請求項３】
前記フレームの内部空間に設けられ、前記光源に電力を供給する電源部と、
前記電源部と前記光源とを電気的に接続する送電線と、
をさらに備え、
前記カバーは、前記左右方向に延び、両側端及び後方を開放させた半割管状であり、
前記切り欠きは、前記挿入部の前側に配置されることで、前記挿入部の内部空間を前記カバーの内部空間と連通させ、
前記送電線は、前記切り欠きに挿通されることで、前記フレームの内部空間から前記カバーの内部空間に侵入することを特徴とする請求項２記載のミラーキャビネット。
【請求項４】
請求項１〜３のいずれか１つに記載のミラーキャビネットと、
前記ミラーキャビネットより下方に設けられた洗面台と、
を備えたことを特徴とする洗面化粧台。
【発明の詳細な説明】
【技術分野】
【０００１】
本発明の態様は、一般的に、ミラーキャビネット及び洗面化粧台に関する。
【背景技術】
【０００２】
収納空間を有するキャビネット本体と、収納空間を開閉する扉と、扉の前面に設けられたミラーと、を備えたミラーキャビネットが知られている。ミラーキャビネットは、例えば、洗面化粧台に用いられる。ミラーキャビネットは、洗面化粧台において、洗面器や水栓装置などの上に取り付けられる。これにより、洗面時に使用者が顔を確認することができるとともに、洗面に必要な小物などを本体内に収納することができる。
【０００３】
また、ミラーキャビネットでは、前方に光を照射する照明部を設けることが行われている。照明部は、キャビネット本体の上部に設けられ、左右方向（幅方向）に延びる。照明部では、ＬＥＤ（Light Emitting Diode）などの発光素子が光源として用いられる。これにより、白熱灯などを光源に用いる場合に比べて、照明部の高寿命化や低消費電力化を図ることができる。
【０００４】
照明部は、発光素子を支持するフレームと、発光素子を覆う光透過性のカバーと、を備える。発光素子を支持するフレームは、発光素子が発光する際に発生させる熱によって、発光素子が壊れてしまうことを抑制するために、樹脂製のものより放熱性能が高い金属製のものとすることが好ましい。一方、発光素子を覆うカバーは、光を透過させるために、金属製のものでなく、光透過性のある樹脂製のものである必要がある。この際、金属及び樹脂の熱膨張率は異なるため、フレームとカバーとの熱膨張率の違いにより、例えば発光素子が発光する際に発生させる熱によって、フレームの左右方向の長さとカバーの左右方向の長さとにズレが生じてしまう場合がある。こうした長さのズレは、例えば、照明部の美観を低下させてしまう。
【０００５】
このため、フレーム及びカバーの両側端にキャップを取り付けることが行われている。キャップは、フレーム及びカバーのそれぞれの側端を収容可能な凹部を有し、それぞれの側端を覆い隠す。これにより、左右方向の長さのズレにともなう照明部の美観の低下を抑制することができる。
【０００６】
しかしながら、フレーム及びカバーの各側端を凹部内に収容するキャップを取り付けると、キャップの厚みの分だけ、キャップとフレームとの間、及び、キャップとカバーとの間に段差が生じてしまう。こうした段差は、照明部の美観を損なわせる要因となる。また、この段差によって入隅が生じ、汚れが溜まり易くなるとともに、清掃性も悪くなってしまう。
【０００７】
このため、ミラーキャビネット及びこれを備えた洗面化粧台においては、照明部の美観及び清掃性の向上が望まれる。
【先行技術文献】
【特許文献】
【０００８】
【特許文献１】特開２００６−００６３７０号公報
【特許文献２】特開２０１０−１７０９７０号公報
【発明の概要】
【発明が解決しようとする課題】
【０００９】
本発明は、かかる課題の認識に基づいてなされたものであり、フレームとカバーとの熱膨張率の違いにより照明部の美観を低下させてしまうことを抑制しつつ、照明部の清掃性を向上させたミラーキャビネット及び洗面化粧台を提供することを目的とする。
【課題を解決するための手段】
【００１０】
第１の発明は、前方に開口する収納空間を有するキャビネット本体と、前記収納空間を塞ぐ位置と、前記収納空間を開放する位置と、に移動可能に前記キャビネット本体に設けられた扉と、前記扉の前面に設けられたミラーと、前方に光を照射する照明部であって、光源と、前記光源を前方に向けて支持する金属製のフレームと、左右方向において拘束されずに前記フレームと係合することにより、前記フレームの前方に取り付けられ、前記光源を覆う光透過性の樹脂製のカバーと、前記カバーの側端側及び前記フレームの側端側に位置し、前記カバーの両側端に取り付けられた一対のキャップと、を有する照明部と、を備え、前記カバーの前記左右方向の長さは、前記フレームの前記左右方向の長さよりも長く、前記一対のキャップのそれぞれは、前記フレームの側端及び前記カバーの側端のそれぞれと対向するとともに、前記フレームが前記カバーの前記左右方向における中央に位置した際に、前記フレームとの間に隙間が設けられることで、前記カバーの熱膨脹及び熱収縮による左右方向の変形を吸収できるキャップ本体を有し、前記キャップ本体の上面は、前記フレームの上面及び前記カバーの上面と略面一であり、前記キャップ本体の下面は、前記フレームの下面及び前記カバーの下面と略面一であり、前記キャップ本体の前面は、前記カバーの前面と略面一であるとともに、前記フレームは、前記左右方向に延び、両側端を開放させた中空状であり、前記一対のキャップのそれぞれは、前記フレームの内部空間に、前記フレームの内壁の近傍に沿うように挿入される挿入部を有しており、前記挿入部は、前記フレームの前記側端の前記内部空間への開放部分の少なくとも一部を塞ぐことを特徴とするミラーキャビネットである。
【００１１】
このミラーキャビネットによれば、キャップ本体の上面はフレームの上面及びカバーの上面と略面一であり、キャップ本体の下面はフレームの下面及びカバーの下面と略面一であり、キャップ本体の前面はカバーの前面と略面一であるため、フレームとキャップとの間及びカバーとキャップとの間に生じる段差が抑えられ、照明部の美観及び清掃性を向上させることができる。また、熱膨張の違いによるフレームとカバーとの左右方向の長さのズレを、カバーを左右方向に拘束させずにフレームと係合させつつ、カバーの側端に取り付けられたキャップ本体とフレームとの間に隙間を設けることによって、吸収することができる。従って、フレームとカバーとの左右方向の長さのズレに起因する照明部の美観の低下も抑制することができる。また、このミラーキャビネットによれば、フレームを、側端を開放させた中空状で形成したため、一般的に材料費が樹脂製のものと比べ高い金属製のフレームにおいて、材料量を削減でき、材料コストを抑えることができるとともに、フレームの表面積が大きくなるため、放熱性能が向上する。また、一対のキャップのそれぞれは、フレームの内部空間に、フレームの内壁に沿って挿入されることで、フレーム及びキャップ本体の隙間の少なくとも一部の開放部分を塞ぐ挿入部を有するため、キャップ本体とフレームとの間に隙間を設けた場合にも、中空状のフレームの内部空間に塵埃などが侵入してしまうことを抑制することができる。したがって、金属製のフレームであっても材料コストを抑えることができつつ、フレームの放熱性能を向上させ、且つ、フレームの内部空間に塵埃などが侵入してしまうことを抑制することができる。また、フレームを側端を開放させた中空状で形成することで、挿入部は、フレーム及びキャップ本体の隙間の少なくとも一部の開放部分を塞ぎつつ、カバーを左右方向に移動可能にフレームと係合させることを可能にするため、熱膨張の違いによるフレームとカバーとの左右方向の長さのズレを吸収することができる。
【００１４】
第２の発明は、第１の発明において、前記一対のキャップの少なくとも一方は樹脂製であり、前記一方のキャップの前記挿入部が、前記左右方向を軸とする筒状であるとともに、前記一方のキャップの前記キャップ本体と反対側の端部から前記一方のキャップの前記キャップ本体に向かって延びる切り欠きを有することを特徴とするミラーキャビネットである。
【００１５】
挿入部がフレームの内部空間にフレームの内壁に沿って挿入されることで、フレーム及びキャップ本体の隙間の少なくとも一部の開放部分を塞ぐ構造にすると、キャップが樹脂製であった場合、キャップ自身も熱膨脹してしまう恐れがある。このミラーキャビネットによれば、キャップの挿入部が、左右方向を軸とする筒状であるとともに、該キャップのキャップ本体と反対側の端部から該キャップのキャップ本体に向かって延びる切り欠きを有するため、熱膨張による挿入部の外形寸法の大型化を切り欠きによって吸収することができる。これにより、例えば、挿入部の熱膨張によって挿入部とフレーム内壁との摩擦力が大きくなり、フレームとカバーとの左右方向の長さのズレを吸収できなくなってしまうことを抑制することができる。また、このことより、キャップを樹脂製のものとすることができ、金属製のものと比べ、材料コストを抑えることができる。
【００１６】
第３の発明は、第２の発明において、前記フレームの内部空間に設けられ、前記光源に電力を供給する電源部と、前記電源部と前記光源とを電気的に接続する送電線と、をさらに備え、前記カバーが、前記左右方向に延び、両側端及び後方を開放させた半割管状であり、前記切り欠きが、前記挿入部の前側に配置されることで、前記挿入部の内部空間を前記カバーの内部空間と連通させ、前記送電線が、前記切り欠きに挿通されることで、前記フレームの内部空間から前記カバーの内部空間に侵入することを特徴とするミラーキャビネットである。
【００１７】
このミラーキャビネットによれば、切り欠きが、挿入部の前側に配置されることで挿入部の内部空間をカバーの内部空間と連通させ、送電線が、切り欠きに挿通されることでフレームの内部空間からカバーの内部空間に侵入するため、電源部と光源とを送電線で電気的に接続した状態でキャップを取り付けることができ、照明部の組立性を向上させることができる。また、照明部に不具合などが発生した場合に、キャップのみを取り外すことができ、照明部のメンテナンス性を向上させることもできる。したがって、熱膨張による挿入部の外形寸法の大型化を吸収するための切り欠きを有効利用しながら、照明部の組立性及びメンテナンス性を向上させることができる。
【００１８】
第４の発明は、第１〜第３のいずれか１つの発明のミラーキャビネットと、前記ミラーキャビネットより下方に設けられた洗面台と、を備えたことを特徴とする洗面化粧台である。
【００１９】
この洗面化粧台によれば、ミラーキャビネットにおいて、フレームとキャップとの間及びカバーとキャップとの間に生じる段差が抑えられ、照明部の美観及び清掃性を向上させることができる。また、熱膨張の違いによるフレームとカバーとの左右方向の長さのズレを、キャップ本体とフレームとの間の隙間によって吸収することができる。従って、フレームとカバーとの左右方向の長さのズレに起因する照明部の美観の低下も抑制することができる。
【発明の効果】
【００２０】
本発明の態様によれば、フレームとカバーとの熱膨張率の違いにより照明部の美観を低下してしまうことを抑制しつつ、照明部の清掃性を向上させたミラーキャビネット及び洗面化粧台を提供することができる。
【図面の簡単な説明】
【００２１】
【図１】図１（ａ）及び図１（ｂ）は、本発明の第１の実施の形態に係るミラーキャビネットを模式的に表す斜視図である。
【図２】本発明の第１の実施の形態に係る照明部を模式的に表す斜視図である。
【図３】本発明の第１の実施の形態に係る照明部を模式的に表す側面図である。
【図４】本発明の第１の実施の形態に係る照明部の一部を模式的に表す分解斜視図である。
【図５】本発明の第１の実施の形態に係る照明部を模式的に表す部分斜視図である。
【図６】図６（ａ）〜図６（ｃ）は、本発明の第１の実施の形態に係る取付部材を模式的に表す正面図である。
【図７】本発明の第１の実施の形態に係る照明部の一部を表す模式図である。
【図８】本発明の第２の実施の形態に係る洗面化粧台を模式的に表す正面図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１（ａ）及び図１（ｂ）は、本発明の第１の実施の形態に係るミラーキャビネットを模式的に表す斜視図である。  
図１（ａ）及び図１（ｂ）に表したように、ミラーキャビネット１０は、キャビネット本体１１と、扉１２と、ミラー１３と、照明部１４と、電源部１５と、を備える。ミラーキャビネット１０は、例えば、洗面化粧台に用いられる。ミラーキャビネット１０は、洗面化粧台において洗面器や水栓装置などの上方に配置して使用される。ミラーキャビネット１０は、洗面化粧台に限ることなく、他の用途に用いてもよい。
【００２３】
キャビネット本体１１は、前方に開口する収納空間１１ａを有する。キャビネット本体１１は、例えば、直方体状である。キャビネット本体１１は、換言すれば、前面を開放させた略直方体の箱状である。キャビネット本体１１の形状は、直方体状に限ることなく、任意の形状でよい。キャビネット本体１１には、例えば、樹脂材料が用いられる。キャビネット本体１１の材料は、樹脂材料に限ることなく、金属材料などでもよい。
【００２４】
キャビネット本体１１は、例えば、背面を当接させた状態で洗面所の壁面に取り付けられ、洗面器や水栓装置などの上方に配置される。すなわち、キャビネット本体１１は、収納空間１１ａを使用者側に向けた状態で、洗面所の壁面に取り付けられる。
【００２５】
扉１２は、収納空間１１ａを塞ぐ閉じ位置と、収納空間１１ａを開放する開き位置と、に移動可能にキャビネット本体１１に設けられている。扉１２は、ヒンジを介して回動可能にキャビネット本体１１に取り付けられ、ヒンジを軸に回動することにより、閉じ位置と開き位置との間で移動する。すなわち、この例において、扉１２は、いわゆる開き戸である。扉１２は、これに限ることなく、例えば、スライド式の扉（いわゆる引き戸）などでもよい。
【００２６】
また、この例では、３枚の扉１２が、左右方向に並べてキャビネット本体１１に設けられ、３枚の扉１２によって収納空間１１ａが塞がれている。キャビネット本体１１に設けられる扉１２の数は、１枚又は２枚でもよいし、４枚以上でもよい。
【００２７】
ミラー１３は、扉１２の前面に設けられる。この例では、３枚のミラー１３が、３枚の扉１２のそれぞれの前面に設けられている。複数枚の扉１２を設ける場合、ミラー１３の数は、例えば、扉１２の数と同じである。ミラー１３の数は、扉１２の数よりも少なくてもよい。例えば、３枚の扉１２を左右方向に並べて設けた場合、中央の扉１２のみにミラー１３を設けてもよい。
【００２８】
照明部１４は、発光素子２５（図３参照）を有し、前方に光を照射する。照明部１４は、例えば、キャビネット本体１１の前方に着脱自在に設けられる。また、照明部１４は、例えば、キャビネット本体１１の上部に設けられる。照明部１４の横幅（左右方向の長さ）は、キャビネット本体１１の横幅と実質的に同じである。照明部１４の取り付け位置は、キャビネット本体１１の上部前方に限ることなく、前方に光を照射可能な任意の位置でよい。
【００２９】
電源部１５は、キャビネット本体１１の前方に設けられる。電源部１５は、例えば、キャビネット本体１１の前方に設けられた照明部１４に設置される。電源部１５は、照明部１４とは別に設けてもよい。
【００３０】
電源部１５は、入力電力を発光素子２５に対応した直流電力に変換し、直流電力を発光素子２５に供給する。照明部１４は、電源部１５からの直流電力の供給に応じて光を照射する。電源部１５に入力される入力電力は、例えば、商用電源から供給される交流電力である。電源部１５は、例えば、交流電力を直流電力に変換するＡＣ−ＤＣコンバータである。入力電力は、直流電力でもよい。電源部１５は、直流電力を絶対値の異なる別の直流電力に変換するＤＣ−ＤＣコンバータでもよい。
【００３１】
図２は、本発明の第１の実施の形態に係る照明部を模式的に表す斜視図である。  
図３は、本発明の第１の実施の形態に係る照明部を模式的に表す側面図である。  
図２及び図３に表したように、照明部１４は、フレーム２０と、カバー２１（配光制御部）と、一対のキャップ２２、２３と、配線基板２４と、発光素子２５（光源）と、を有する。図３は、照明部１４を右側から見た側面図である。また、図３では、一方のキャップ２２を便宜的に省略して図示している。
【００３２】
フレーム２０は、左右方向に延び、両側端を開放させた中空状である。フレーム２０は、発光素子２５を前方に向けた状態で支持する。発光素子２５は、配線基板２４の上に実装され、配線基板２４を介してフレーム２０に支持される。フレーム２０は、照明部１４のキャビネット本体１１への取り付けにも用いられる。また、フレーム２０は、中空状の内部空間に電源部１５を収容する。これにより、電源部１５が、照明部１４内に設けられる。
【００３３】
カバー２１は、左右方向に延び、両側端及び後方を開放させた半割管状である。カバー２１は、左右方向にスライドしてフレーム２０の前方に取り付けられ、発光素子２５を覆う。カバー２１は、例えば、発光素子２５を保護する。カバー２１は、発光素子２５から放出される光に対して光透過性を有する。発光素子２５から放出された光は、カバー２１を透過して照明部１４の外部に照射される。
【００３４】
キャップ２２は、カバー２１の一方の側端に取り付けられ、フレーム２０及びカバー２１の一方の側端を覆う。キャップ２３は、カバー２１の他方の側端に取り付けられ、フレーム２０及びカバー２１の他方の側端を覆う。また、キャップ２２、２３は、カバー２１の左右方向の移動を規制し、カバー２１のフレーム２０からの脱落を抑制する。キャップ２２、２３には、例えば、樹脂材料が用いられる。
【００３５】
フレーム２０は、前板部３０と、上板部３１と、底板部３２と、を有する。前板部３０は、上下方向及び左右方向に延びる。前板部３０は、キャビネット本体１１の前面１１ｂと対向する。上板部３１は、前板部３０の上端から前後に延びる。底板部３２は、前板部３０の下端から前後に延びる。フレーム２０は、換言すれば、断面略Ｈ字状の部材である。フレーム２０は、前板部３０と上板部３１と底板部３２とで囲まれた空間に、電源部１５を収容する。
【００３６】
フレーム２０には、例えば、アルミニウムやステンレスなどの金属材料が用いられる。フレーム２０は、発光素子２５から放出される光（以下、発光光と称す）に対して反射性である。フレーム２０の材料は、金属材料に限ることなく、樹脂材料などでもよい。
【００３７】
フレーム２０は、上板部３１の後端及び底板部３２の後端を、キャビネット本体１１の略垂直な前面１１ｂに当接させた状態で、前面１１ｂに取り付けられる。底板部３２は、上板部３１と実施的に平行である。前板部３０から底板部３２の後端までの長さは、前板部３０から上板部３１の後端までの長さと実質的に同じである。これにより、上板部３１及び底板部３２は、キャビネット本体１１の前面１１ｂに後端を当接させた時に、前面１１ｂに対して略垂直となる。
【００３８】
カバー２１は、前板部４０と、上板部４１と、底板部４２と、を有する。前板部４０は、上下方向及び左右方向に延びる。前板部４０は、フレーム２０の前板部３０と対向する。前板部４０は、例えば、前板部３０及び前面１１ｂと実質的に平行である。また、前板部４０の上下方向の長さは、前板部３０の上下方向の長さと実質的に同じである。換言すれば、カバー２１の厚さは、フレーム２０の厚さと実質的に同じである。上板部４１は、前板部４０の上端から後方に延びる。底板部４２は、前板部４０の下端から後方に延びる。カバー２１は、換言すれば、断面略Ｕ字状の部材である。
【００３９】
カバー２１は、発光素子２５の発光光に対して光透過性を有するとともに、光散乱性を有する。カバー２１は、発光光を散乱させる。これにより、カバー２１は、発光光（発光素子２５から放出された後の光）の配光角を広げる。カバー２１には、例えば、樹脂材料が用いられる。カバー２１には、例えば、乳白色の樹脂材料が用いられる。これにより、カバー２１において、光透過性と光散乱性とを得ることができる。カバー２１の材料は、樹脂に限ることなく、ガラスなどでもよい。
【００４０】
カバー２１の透過率は、１００％以下である。カバー２１の透過率は、例えば、６０％以下である。これにより、カバー２１に適切な光散乱性を持たせることができる。例えば、指向性の強い光がカバー２１を透過して、発光光が粒状に観察されてしまうことを抑制することができる。また、カバー２１の透過率は、例えば、４０％以上である。これにより、カバー２１による光強度の低下を抑えることができる。従って、カバー２１の透過率は、例えば、４０％以上６０％以下である。
【００４１】
フレーム２０の上板部３１の前端及び底板部３２の前端には、フレーム２０に対してカバー２１を取り付けるための係合部３１ａ、３２ａが設けられている。一方、カバー２１の上板部４１の後端及び底板部４２の後端には、係合部３１ａ、３２ａに係合する被係合部４１ａ、４２ａが設けられている。カバー２１は、被係合部４１ａ、４２ａを係合部３１ａ、３２ａに係合させることにより、左右方向にスライドしてフレーム２０の前方に取り付けられる。係合部３１ａ、３２ａは、被係合部４１ａ、４２ａとの係合により、カバー２１の前後方向の位置及び上下方向の位置を規制する。このように、カバー２１は、左右方向において拘束されずにフレーム２０と係合することにより、フレーム２０の前方に取り付けられる。
【００４２】
フレーム２０は、支持部３３をさらに有する。支持部３３は、前板部３０の前面から前方斜め上方に延びる。支持部３３の一部は、カバー２１がフレーム２０に取り付けられた状態において、カバー２１の内部空間に入り込む。
【００４３】
配線基板２４は、支持部３３の前面に取り付けられる。これにより、フレーム２０は、前方斜め下方に向けて発光素子２５を支持する。照明部１４は、前方斜め下方に向けて光を照射する。このように、照明部１４から照射される光の向きは、少なくとも前方に向かう成分を有していればよい。発光素子２５の光軸は、必ずしも前後方向と平行でなくてもよい。
【００４４】
フレーム２０は、前板部３０の前方において発光素子２５を支持し、前板部３０の後方の空間に電源部１５を収容する。従って、電源部１５は、発光素子２５とキャビネット本体１１との間に配置される。
【００４５】
配線基板２４は、例えば、支持部３３に接触する。これにより、配線基板２４は、フレーム２０と熱的に結合する。発光素子２５は、配線基板２４を介してフレーム２０と熱的に結合される。従って、フレーム２０に金属材料などの熱伝導性の高い材料を用いる。これにより、例えば、発光素子２５の発光にともなって発生する熱の放熱性を高めることができる。配線基板２４は、例えば、熱伝導シートなどを介してフレーム２０と熱的に結合してもよい。
【００４６】
配線基板２４は、送電線３５を介して電源部１５と電気的に接続されている。電源部１５は、送電線３５を介して直流電力を配線基板２４に供給する。配線基板２４は、図示を省略した配線層を有し、配線層を介して発光素子２５と送電線３５とを電気的に接続する。これにより、電源部１５から出力された直流電力が、送電線３５及び配線基板２４を介して発光素子２５に供給され、直流電力の供給に応じて発光素子２５から光が放出される。
【００４７】
発光素子２５は、所定の配光角の光を放出する。発光素子２５の配光角は、例えば、１２０°（９０°以上１５０°以下）である。発光素子２５は、前方斜め下方に向けて光を放出し、カバー２１の前板部４０及び底板部４２に光を入射させる。従って、照明部１４では、前板部４０及び底板部４２から光が照射される。このように、照明部１４では、前板部４０及び底板部４２が、光を照射する発光面ＬＦとなる。照明部１４は、例えば、前方及び下方に光を照射する。
【００４８】
発光素子２５には、例えば、ＬＥＤが用いられる。発光素子２５は、例えば、ＬＤ（Laser Diode）、有機ＥＬ（Electro-Luminescence）、または、ＯＬＥＤ（Organic light-emitting diode）などでもよい。この例では、照明部１４の光源として、発光素子２５を示している。光源は、発光素子に限ることなく、例えば、白熱電球や蛍光灯などでもよい。電源部１５が光源に供給する電力は、直流電力に限ることなく、電球に対応した任意の電力でよい。
【００４９】
図４は、本発明の第１の実施の形態に係る照明部の一部を模式的に表す分解斜視図である。  
図４に表したように、キャップ２３は、キャップ本体５０と、第１挿入部５１と、第２挿入部５２と、を有する。なお、他方のキャップ２２は、キャップ２３と左右対称な実質的に同じ形状である。キャップ２２もキャップ２３と同様に、キャップ本体５０と、第１挿入部５１と、第２挿入部５２と、を有する。従って、以下では、キャップ２３について説明し、キャップ２２についての詳細な説明は省略する。
【００５０】
キャップ本体５０の形状は、組み合わせた状態におけるフレーム２０及びカバー２１の形状に対応している。キャップ本体５０は、カバー２１がフレーム２０に取り付けられている状態において、フレーム２０の一方の側端及びカバー２１の一方の側端のそれぞれと対向する。
【００５１】
第１挿入部５１は、キャップ本体５０から内側に突出し、中空状のフレーム２０の内部空間に挿入される。第１挿入部５１の外形は、フレーム２０の一側端の開口形状と実質的に同じである。第１挿入部５１は、フレーム２０の内壁に沿うように挿入される。これにより、第１挿入部５１は、フレーム２０の内部空間に挿入された状態において、フレーム２０の一方の開放端を塞ぐ。
【００５２】
第２挿入部５２は、キャップ本体５０から内側に突出し、中空状のカバー２１の内部空間に挿入される。第２挿入部５２は、第１挿入部５１と同様に、カバー２１の内部空間に挿入された状態において、カバー２１の一方の開放端を塞ぐ。
【００５３】
第２挿入部５２には、上向きに形成されたネジ穴５２ａが設けられている。カバー２１の上板部４１には、第２挿入部５２をカバー２１の内部空間に挿入した時に、ネジ穴５２ａと対向する位置に、貫通孔４１ｂが設けられている。第１挿入部５１及び第２挿入部５２をそれぞれフレーム２０及びカバー２１に挿入した状態で、ネジ５４を外側からネジ穴５２ａに取り付ける。これにより、キャップ２３が、カバー２１に取り付けられる。
【００５４】
このように、各キャップ２２、２３のそれぞれは、ネジ５４によってカバー２１に取り付けられる。この際、各キャップ２２、２３のそれぞれのキャップ本体５０及び第１挿入部５１によって、カバー２１の左右方向の移動が規制され、カバー２１のフレーム２０からの脱落が抑制される。
【００５５】
第１挿入部５１は、左右方向を軸とする筒状である。第１挿入部５１には、切り欠き５１ａが設けられている。切り欠き５１ａは、第１挿入部５１のキャップ本体５０と反対側の端部からキャップ本体５０に向かって延びる。また、切り欠き５１ａは、第１挿入部５１の前側に配置されている。これにより、切り欠き５１ａは、筒状の第１挿入部５１の内部空間をカバー２１の内部空間と連通させる。
【００５６】
切り欠き５１ａは、フレーム２０の内部空間から第１挿入部５１の内部空間を通ってカバー２１の内部空間へと至る経路を形成する。この経路は、送電線３５を通すための配線経路として用いられる。送電線３５は、切り欠き５１ａに挿通され、フレーム２０の内部空間からカバー２１の内部空間に侵入する。送電線３５は、切り欠き５１ａに挿通され、フレーム２０の前板部３０の後方に配置された電源部１５と前板部３０の前方に配置された発光素子２５とを接続する（図３参照）。なお、切り欠き５１ａは、キャップ２２、２３のそれぞれの第１挿入部５１に設けてもよいし、キャップ２２、２３の一方の第１挿入部５１のみに設けてもよい。
【００５７】
図３に表したように、左右方向に見た時に、キャップ本体５０の外形形状は、組み合わせた状態のフレーム２０及びカバー２１の外形形状と実質的に同じである。キャップ本体５０の上面５０ｕは、フレーム２０の上面２０ｕ（上板部３１の外表面）と略面一である。キャップ本体５０の下面５０ｂは、フレーム２０の下面２０ｂ（底板部３２の外表面）と略面一である。また、キャップ本体５０の上面５０ｕは、カバー２１の上面２１ｕ（上板部４１の外表面）と略面一である。キャップ本体５０の下面５０ｂは、カバー２１の下面２１ｂ（底板部４２の外表面）と略面一である。キャップ本体５０の前面５０ｆは、カバー２１の前面２１ｆ（前板部４０の外表面）と略面一である。
【００５８】
ここで、「略面一」とは、例えば、隣接する２つの部材において、一方の部材の面と他方の部材の面との間に生じる段差が、２ｍｍ以下の状態である。キャップ本体５０とフレーム２０との間に生じる段差は、例えば、１．５ｍｍ以下である。キャップ本体５０とカバー２１との間に生じる段差は、例えば、１．０ｍｍ以下である。
【００５９】
フレーム２０及びカバー２１は、少なくともキャップ本体よりも突出しないようにする。換言すれば、左右方向に見た時のキャップ本体５０の外形形状を、組み合わせた状態のフレーム２０及びカバー２１の外形形状よりも上記の範囲を超えない中で僅かに大きくする。これにより、例えば、フレーム２０及びカバー２１の端面が露出して、照明部１４の美観が損なわれてしまうことを抑制することができる。
【００６０】
図５は、本発明の第１の実施の形態に係る照明部を模式的に表す部分斜視図である。  
図５に表したように、カバー２１の左右方向の長さは、フレーム２０の左右方向の長さよりも長い。各キャップ２２、２３は、キャップ本体５０とフレーム２０との間に隙間ＣＬを設ける。各キャップ２２、２３は、少なくとも常温（例えば１５℃以上２５℃以下）において、キャップ本体５０とフレーム２０との間に隙間ＣＬを設ける。これにより、例えば、フレーム２０とカバー２１との熱膨張率の違いによる照明部１４の変形などを抑制することができる。各キャップ２２、２３は、フレーム２０がカバー２１の左右方向における中央に位置した際に、フレーム２０とキャップ本体５０との間に隙間ＣＬが設けられることで、カバー２１の熱膨張及び熱収縮による左右方向の変形を吸収する。
【００６１】
隙間ＣＬの左右方向の長さは、例えば、０．５ｍｍ以上２ｍｍ以下である。隙間ＣＬの左右方向の長さを０．５ｍｍ以上にする。これにより、例えば、熱膨張率の違いによるフレーム２０とカバー２１との左右方向の長さのズレを適切に吸収することができる。隙間ＣＬの左右方向の長さを２ｍｍ以下にする。これにより、例えば、照明部１４のキャビネット本体１１に対する左右方向の位置ズレを抑制することができる。
【００６２】
各キャップ２２、２３は、フレーム２０の内部空間に第１挿入部５１を挿入する。第１挿入部５１は、フレーム２０の内部空間に、フレーム２０の内壁の近傍に沿うように挿入されることで、隙間ＣＬの少なくとも一部の開放部分を塞ぐ。本発明の一実施形態においては、第１挿入部５１とフレーム２０の内壁との距離は例えば０．２ミリメートル（ｍｍ）である。なお、「フレーム２０の内壁の近傍」は、第１挿入部５１とフレーム２０の内壁との距離が０．２ｍｍのものに限らず、フレーム２０の内部空間に塵埃などが侵入しづらい距離の範囲なら良い。第１挿入部５１は、例えば、フレーム２０の一方の開放端を塞ぐ。これにより、キャップ本体５０とフレーム２０との間に隙間ＣＬを設けた場合においても、フレーム２０の内部空間に塵埃などが侵入してしまうことを抑制することができる。例えば、照明部１４の美観の低下を抑制することもできる。
【００６３】
図３及び図５に表したように、照明部１４のキャビネット本体１１に対する取り付けには、略Ｌ字状の取付部材２８が用いられる。取付部材２８は、キャビネット本体１１の前面１１ｂに取り付けられる。取付部材２８は、例えば、ネジやリベットなどの取り付け具２８ｎを介して前面１１ｂに取り付けられる。
【００６４】
照明部１４の取り付けにおいては、例えば、フレーム２０の内部空間に取付部材２８を侵入させ、フレーム２０と取付部材２８とを下側からネジ止めする。これにより、照明部１４が、取付部材２８を介してキャビネット本体１１の前方に取り付けられる。このように、ミラーキャビネット１０では、キャビネット本体１１に対し、照明部１４と電源部１５とを一体に着脱することができる。
【００６５】
取付部材２８は、例えば、照明部１４の左右方向の両端付近に１つずつ、計２つ設けられる。照明部１４は、２つの取付部材２８を介してキャビネット本体１１に取り付けられる。取付部材２８の数は、２つに限ることなく、１つでもよいし、３つ以上でもよい。
【００６６】
各取付部材２８のキャビネット本体１１の前面１１ｂと対向する部分には、左右方向に延びる一対の長穴２８ａ、２８ｂが設けられている。長穴２８ａ、２８ｂは、左右方向に並べて配置されている。長穴２８ａ、２８ｂは、例えば、取付部材２８の左右方向の中心を挟んで対称に配置される。
【００６７】
キャビネット本体１１の前面１１ｂには、前方に突出する一対の突起１１ｃ、１１ｄが設けられている。突起１１ｃは、一方の取付部材２８の長穴２８ａと対向する位置に設けられる。突起１１ｄは、他方の取付部材２８の長穴２８ａと対向する位置に設けられる。突起１１ｃ、１１ｄは、各取付部材２８の長穴２８ａに挿通される。
【００６８】
このように、一方の長穴２８ａは、突起１１ｃ、１１ｄの挿通に用いられる。他方の長穴２８ｂは、取り付け具２８ｎの挿通に用いられる。取り付け具２８ｎの長穴２８ｂに挿通される部分の左右方向の長さは、長穴２８ｂの左右方向の長さよりも短い。
【００６９】
図６（ａ）〜図６（ｃ）は、本発明の第１の実施の形態に係る取付部材を模式的に表す正面図である。  
図６（ａ）〜図６（ｃ）に表したように、突起１１ｃは、左右方向に延びる。突起１１ｃの左右方向の長さは、長穴２８ａの左右方向の長さと実質的に同じである。突起１１ｃの正面から見た形状は、長穴２８ａの正面から見た形状と実質的に同じである。これにより、突起１１ｃは、一方の取付部材２８の左右方向の位置を規制する。
【００７０】
一方、突起１１ｄの左右方向の長さは、長穴２８ａの左右方向の長さよりも短い。従って、突起１１ｄは、長穴２８ａ内において左右方向に移動可能である。このように、一方の取付部材２８は、突起１１ｃによって左右方向の移動が規制された状態で前面１１ｂに取り付けられる。そして、他方の取付部材２８は、突起１１ｄ及び取り付け具２８ｎにより、長穴２８ａ、２８ｂに沿って左右方向に移動可能に前面１１ｂに取り付けられる。
【００７１】
突起１１ｄに係合する取付部材２８の左右方向の移動により、例えば、熱膨張率の違いによるフレーム２０とキャビネット本体１１との左右方向の長さのズレを吸収することができる。例えば、熱膨張率の違いによるキャビネット本体１１や照明部１４の変形を抑制することができる。例えば、キャビネット本体１１と照明部１４との間に隙間が空いてしまうことを抑制することができる。また、突起１１ｃに係合する取付部材２８によって、照明部１４の左右方向の位置を適切に決めることができる。キャビネット本体１１や照明部１４の熱膨張による変形を抑制しつつ、照明部１４のキャビネット本体１１に対する左右方向の位置ズレを抑制することができる。
【００７２】
なお、図６（ｂ）は、キャビネット本体１１が常温下にある状態を表している。図６（ａ）は、キャビネット本体１１が高温になって、常温時よりも伸びた状態を表している。そして、図６（ｃ）は、キャビネット本体１１が低温になって、常温時よりも縮んだ状態を表している。
【００７３】
図７は、本発明の第１の実施の形態に係る照明部の一部を表す模式図である。  
図７に表したように、照明部１４は、複数の発光素子２５を有する。なお、図７では、斜め上方に傾斜した支持部３３及び配線基板２４が、水平となる向きで図示している。また、図７では、便宜的に、カバー２１の一部を切り欠き、キャップ２２、２３を省略している。
【００７４】
各発光素子２５は、左右方向に並べて配線基板２４上に設けられる。各発光素子２５は、例えば、配線基板２４上において、左右方向に所定の間隔を空けて一直線状に並ぶ。各発光素子２５は、配線基板２４の配線層を介して互いに電気的に接続される。各発光素子２５がＬＥＤである場合、各発光素子２５は、例えば、直列に接続される。これにより、電源部１５からの直流電力の供給に応じて、各発光素子２５のそれぞれから光が放出される。
【００７５】
カバー２１は、各発光素子２５の前方に配置される。カバー２１は、各発光素子２５のそれぞれを覆う。前述のように、カバー２１は、光散乱性を有する。カバー２１は、各発光素子２５のそれぞれから放出された光の配光角を広げる。換言すれば、カバー２１は、入射した光を拡散させる。このように、この例においては、カバー２１が、配光制御部として機能する。
【００７６】
カバー２１は、例えば、屈折によって光を散乱させる。カバー２１に乳白色の樹脂材料を用いた場合には、例えば、内部に分散された多数の光拡散剤による光の屈折により、入射した光を散乱させる。カバー２１は、例えば、マイクロレンズアレイなどの微細な凹凸構造によって光を散乱させてもよい。この場合、カバー２１は、実質的に透明でもよい。カバー２１は、例えば、反射や回折などによって入射した光を散乱させてもよい。
【００７７】
この例では、各発光素子２５から放出された光の強度のバラつきを抑制する抑制手段としてカバー２１を用いている。抑制手段は、例えば、カバー２１と発光素子２５との間、または、カバー２１の前方に配置された別の光学部材でもよい。抑制手段は、例えば、カバー２１の前面または背面に貼り付けられた光学シートなどでもよい。
【００７８】
カバー２１の発光面ＬＦである前板部４０及び底板部４２は、隣り合う２つの発光素子２５から放出された光が重なる位置に配置される。より詳しくは、前板部４０及び底板部４２は、隣り合う２つの発光素子２５の一方から放出された光の一部が、他方から放出された光の一部に重なる位置に配置される。カバー２１は、隣り合う２つの発光素子２５から放出された光が重なる位置を発光面ＬＦとする。
【００７９】
これにより、例えば、隣り合う２つの発光素子２５の間において、実質的に光の入射しない部分が発光面ＬＦに生じてしまうことを抑制することができる。例えば、各発光素子２５のそれぞれから放出される光が、粒状に観察されてしまうことを抑制することができる。また、各発光素子２５から放出された光の光軸から離れた強度の低下した部分において、隣り合う発光素子２５の光との重なりが生じる。これにより、例えば、発光面ＬＦに入射する光、及び、発光面ＬＦから出射する光の強度のバラつきを抑制することができる。
【００８０】
例えば、各発光素子２５の配光角に応じて、各発光素子２５の間隔、及び、各発光素子２５と発光面ＬＦとの間の距離を設定する。これにより、隣り合う２つの発光素子２５から放出された光が重なる位置に、発光面ＬＦを配置することができる。
【００８１】
カバー２１の左右方向の長さは、フレーム２０の各発光素子２５の並ぶ発光領域ＥＡの左右方向の長さよりも長い。発光面ＬＦのキャップ２２、２３に覆われない光透過領域ＴＡの左右方向の長さは、発光領域ＥＡの左右方向の長さよりも長い。これにより、例えば、所定の配光角で広がる発光素子２５の光を有効に活用することができる。例えば、金属製のフレーム２０の長さを短くでき、照明部１４の製造コストを抑えることができる。
【００８２】
光透過領域ＴＡは、例えば、左右方向に並ぶ各発光素子２５の最も端に位置する発光素子２５の配光角に応じた長さ分だけ発光領域ＥＡよりも長い。これにより、例えば、各発光素子２５の光を有効に活用しつつ、光透過領域ＴＡの左右方向の略全体を実質的に均一に光らせることができる。また、例えば、光透過領域ＴＡの左右方向の端部において、光の強度を徐々に低下させることができる。これにより、例えば、発光面ＬＦのキャップ２２、２３に覆われた部分において、急激に暗くなることを抑制することができる。例えば、照明部１４を使用者の目に優しい照明とすることができる。
【００８３】
以上説明したように、ミラーキャビネット１０では、キャップ２２、２３が、フレーム２０及びカバー２１と略面一である。従って、フレーム２０とキャップ２２、２３との間及びカバー２１とキャップ２２、２３との間に生じる段差が抑えられ、照明部１４の美観及び清掃性を向上させることができる。また、熱膨張の違いによるフレーム２０とカバー２１との左右方向の長さのズレを、カバー２１を左右方向に拘束させずにフレーム２０と係合させつつ、カバー２１の側端に取り付けられたキャップ本体５０とフレーム２０との間に隙間ＣＬを設けることによって、吸収することができる。従って、フレーム２０とカバー２１との左右方向の長さのズレに起因する照明部１４の美観の低下も抑制することができる。
【００８４】
ミラーキャビネット１０では、フレーム２０を、側端を開放させた中空状で形成したため、一般的に材料費が樹脂製のものと比べ高い金属製のフレーム２０において、材料量を削減でき、材料コストを抑えることができるとともに、フレーム２０の表面積が大きくなるため、放熱性能が向上する。また、一対のキャップ２２、２３のそれぞれは、フレーム２０の内部空間に、フレーム２０の内壁に沿って挿入されることで、フレーム２０及びキャップ本体５０の隙間ＣＬの少なくとも一部の開放部分を塞ぐ第１挿入部５１を有するため、キャップ本体５０とフレーム２０との間に隙間ＣＬを設けた場合にも、中空状のフレーム２０の内部空間に塵埃などが侵入してしまうことを抑制することができる。したがって、金属製のフレーム２０であっても材料コストを抑えることができつつ、フレーム２０の放熱性能を向上させ、且つ、フレーム２０の内部空間に塵埃などが侵入してしまうことを抑制することができる。また、フレーム２０を側端を開放させた中空状で形成することで、第１挿入部５１は、フレーム２０及びキャップ本体５０の隙間の少なくとも一部の開放部分を塞ぎつつ、カバー２１を左右方向に移動可能にフレーム２０と係合させることを可能にするため、熱膨張の違いによるフレーム２０とカバー２１との左右方向の長さのズレを吸収することができる。
【００８５】
照明部１４は、キャビネット本体１１の前方に設けられているため、キャップ本体５０とフレーム２０との隙間ＣＬの開放部分には上方及び下方から埃などが侵入しやすいが、第１挿入部５１がフレーム２０の内面近傍を沿うように挿入されることによって、隙間ＣＬの開放部分の上方及び下方を塞いでいるため、これを防ぐことができる。
【００８６】
第１挿入部５１がフレーム２０の内部空間にフレーム２０の内壁に沿って挿入されることで、フレーム２０及びキャップ本体５０の隙間ＣＬの少なくとも一部の開放部分を塞ぐ構造にすると、キャップ２２、２３が樹脂製であった場合、キャップ２２、２３自身も熱膨脹してしまう恐れがある。ミラーキャビネット１０では、キャップ２２、２３の第１挿入部５１が、左右方向を軸とする筒状であるとともに、キャップ２２、２３のキャップ本体５０と反対側の端部からキャップ２２、２３のキャップ本体５０に向かって延びる切り欠き５１ａを有するため、熱膨張による第１挿入部５１の外形寸法の大型化を切り欠き５１ａによって吸収することができる。これにより、例えば、第１挿入部５１の熱膨張によって第１挿入部５１とフレーム２０の内壁との摩擦力が大きくなり、フレーム２０とカバー２１との左右方向の長さのズレを吸収できなくなってしまうことを抑制することができる。また、このことより、キャップ２２、２３を樹脂製のものとすることができ、金属製のものと比べ、材料コストを抑えることができる。
【００８７】
このように、第１挿入部５１はフレーム２０の内面近傍を沿うように挿入されることによって隙間ＣＬの開放部分の上方及び下方を塞いでいるが、この第１挿入部５１が熱によって膨脹してしまうと、今度はフレーム２０内へ挿入しにくくなったり、挿入できなくなる恐れがあるが、第１挿入部５１はキャップ本体５０と反対側の端部からキャップ本体５０に向かって延びる切り欠き５１ａを有するため、熱膨張による第１挿入部５１の外形寸法の大型化を切り欠き５１ａによって吸収することができ、上述した問題を防ぐことができる。
【００８８】
ミラーキャビネット１０では、切り欠き５１ａが、第１挿入部５１の前側に配置されることで第１挿入部５１の内部空間をカバー２１の内部空間と連通させ、送電線３５が、切り欠き５１ａに挿通されることでフレーム２０の内部空間からカバー２１の内部空間に侵入する。これにより、電源部１５と発光素子２５とを送電線３５で電気的に接続した状態でキャップ２３を取り付けることができ、照明部１４の組立性を向上させることができる。また、照明部１４に不具合などが発生した場合に、キャップ２３のみを取り外すことができ、照明部１４のメンテナンス性を向上させることもできる。したがって、熱膨張による第１挿入部５１の外形寸法の大型化を吸収するための切り欠き５１ａを有効利用しながら、照明部１４の組立性及びメンテナンス性を向上させることができる。
【００８９】
ミラーキャビネット１０では、電源部１５がキャビネット本体１１の前方に設けられている。これにより、照明部１４の光源に発光素子２５を用いた場合にも、収納空間１１ａの容量が、電源部１５によって減少してしまうことを抑制することができる。また、背後の壁などに電源部１５を取り付ける場合に比べて、電源部１５を容易に取り外すことができ、良好なメンテナンス性を得ることもできる。
【００９０】
ミラーキャビネット１０では、照明部１４はキャビネット本体１１の前方に着脱自在に設けられ、電源部１５は照明部１４に設置されているため、照明部１４から照射された光に異常が見られた際に、使用者は、キャビネット本体１１の前方から電源部１５ごと照明部１４を取り外すことで、電源部１５及び照明部１４をまとめてメンテナンスすることができるため、メンテナンス性をより向上させることができる。また、電源部１５が外部に露出することを抑え、ミラーキャビネット１０の外観を向上させることもできる。
【００９１】
ミラーキャビネット１０では、電源部１５が、発光素子２５とキャビネット本体１１との間に配置されている。これにより、発光素子２５から放出された光が、電源部１５によって遮られてしまうことを抑制することができる。よって、発光素子２５から放出された光は、電源部１５に遮られることなく、キャビネット本体１１の前方を照らすことができる。また、電源部１５が発光素子２５などの裏側に隠れるため、ミラーキャビネット１０の外観をより向上させることができる。
【００９２】
ミラーキャビネット１０では、照明部１４が複数の発光素子２５と、使用者が観測する複数の発光素子２５から放出された光の強度のバラツキを抑えるカバー２１と、を有する。このミラーキャビネット１０によれば、複数の発光素子２５によって広く照らすことができつつ、照明部１４をキャビネット本体１１の前方に設け、発光素子２５を電源部１５より前方に設けた際にも、使用者が観測する複数の発光素子２５から照射される光において、光の強度のバラつきを抑制することができる。このことより、照明部１４から放出された光が、粒状に観察されてしまうことを抑制することができ、使用者の眼に優しい光を照射することができる。
【００９３】
ミラーキャビネット１０では、カバー２１が複数の発光素子２５のそれぞれから放出された後の光の配光角を広げる。これにより、複数の発光素子２５から照射される光において、複数の発光素子２５のそれぞれから放出された後の光の配光角を広げるカバー２１によって複数の発光素子２５のそれぞれから照射される光の強度のバラつきを抑制することができる。このことより、各発光素子２５から放出された光が、粒状に観察されてしまうことを抑制することができ、照明部１４は使用者の眼に優しい光を照射することができる。また、複数の発光素子２５のそれぞれから照射される光の強度のバラつきを抑制することができるため、もし故障などにより、１つの発光素子２５のみしか発光しなかった場合でも、粒状に観察されてしまうことを抑制することができ、使用者の眼に優しい光を照射することができる。
【００９４】
ミラーキャビネット１０では、カバー２１が、隣り合う２つの発光素子２５から放出された光が重なる位置に配置された発光面ＬＦを有する。これにより、隣り合う２つの発光素子２５から放出された光が重なった状態で発光面ＬＦに入射し、隣り合う２つの発光素子２５の間に光強度の低い部分が生じてしまうことを抑制することができ、複数の発光素子２５から照射される光の強度のバラつきを、複数の発光素子２５から照射される光を重ねることにより簡単に抑制することができる。したがって、照明部１４は使用者の眼に優しい光を照射することができる。
【００９５】
ミラーキャビネット１０では、カバー２１が、透過する光を散乱させる。これにより、照明部１４から照射される光の強度のバラつきを、カバー２１が透過する光を散乱させることで配光角を広げることによって簡単に抑制することができる。このことより、照明部１４から放出された光が、粒状に観察されてしまうことを簡単に抑制することができ、照明部１４は使用者の眼に優しい光を照射することができる。
【００９６】
図８は、本発明の第２の実施の形態に係る洗面化粧台を模式的に表す正面図である。  
図８に表したように、洗面化粧台１００は、ミラーキャビネット１０と、洗面台１０１と、水栓装置１０６と、を備える。洗面化粧台１００は、洗面所などの設置空間において、所定の壁面に取り付けられた状態で使用される。
【００９７】
洗面台１０１は、ミラーキャビネット１０より下方に設けられる。洗面台１０１は、支持台１０２と、洗面器１０４と、を有する。支持台１０２は、例えば、フロアキャビネットである。この例において、支持台１０２は、引き出し式のキャビネットである。支持台１０２は、例えば、観音開き式のキャビネットなどでもよい。支持台１０２は、洗面器１０４を支持可能な任意の構成でよい。
【００９８】
洗面器１０４は、支持台１０２の上に設けられる。洗面器１０４は、下方に向かって凹んだ凹状の洗面ボウル１０４ａを有する。洗面ボウル１０４ａは、水栓装置１０６から吐出された水を受ける。
【００９９】
水栓装置１０６は、洗面器１０４の上に設けられる。水栓装置１０６は、吐水口１０６ａ（スパウト）と、操作部１０６ｂと、を有する。吐水口１０６ａは、洗面ボウル１０４ａに向けて水を吐出する。操作部１０６ｂは、吐水口１０６ａから吐出される水の流量及び温度を調節する。この例において、操作部１０６ｂは、レバーハンドルである。操作部１０６ｂは、これに限ることなく、回転型のハンドルなどでもよい。操作部１０６ｂは、少なくとも流量を調節できればよい。
【０１００】
ミラーキャビネット１０は、水栓装置１０６の上に設けられる。ミラーキャビネット１０は、水栓装置１０６の上に載せた状態で、ネジなどにより、壁面に固定される。
【０１０１】
このように、洗面化粧台１００は、ミラーキャビネット１０を備える。従って、洗面化粧台１００は、上記第１の実施形態と同様の効果を得ることができる。
【０１０２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ミラーキャビネット１０及び洗面化粧台１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０３】
１０ ミラーキャビネット、  １１ キャビネット本体、  １２ 扉、  １３ ミラー、  １４ 照明部、  １５ 電源部、  ２０ フレーム、  ２１ カバー（配光制御部）、  ２２、２３ キャップ、  ２４ 配線基板、  ２５ 発光素子、  ２８ 取付部材、  ３０ 前板部、  ３１ 上板部、  ３２ 底板部、  ３３ 支持部、  ３５ 送電線、  ４０ 前板部、  ４１ 上板部、  ４２ 底板部、  ５０ キャップ本体、  ５１ 第１挿入部、  ５２ 第２挿入部、  ５４ ネジ、  １００ 洗面化粧台、  １０１ 洗面台、  １０２ 支持台、  １０４ 洗面器、  １０６ 水栓装置
【図１】
0006558627.tif 000002
【図２】
0006558627.tif 000003
【図３】
0006558627.tif 000004
【図４】
0006558627.tif 000005
【図５】
0006558627.tif 000006
【図６】
0006558627.tif 000007
【図７】
0006558627.tif 000008
【図８】
0006558627.tif 000009